(57)【要約】【課題】  効率的に製造でき、コンパクトに折り畳んだり、巻き状態とすることができ、草木等に擬せられる部分が、障害物に引っ掛かったり、脱落したり、損傷したりし難く、しかも偽装効果の高い偽装網１を提供する。【解決手段】  網状部４と、非網状で草木等の偽装しようとするべき物に擬せられた偽装主部５とを一体に編んだ編み物（または織った織物）により偽装網１を構成する。偽装主部５にはしわ加工を施す。偽装主部５はしわ加工が施されているので、使用状態では立体的となるようにすることができるため、より巧妙に草木等に偽装することができる。【選択図】    図１
2005299029.tif 000002
【特許請求の範囲】
【請求項１】
網状部と、この網状部と一体に編まれまたは織られた非網状の偽装主部とを有してなり、前記偽装主部は偽装しようとするべき物に擬せられるとともにしわ加工を施されていることを特徴とする偽装網。
【請求項２】
縁部に、互いに間隔をおいて結束手段挿通穴を設けられた請求項１記載の偽装網。
【請求項３】
長さ方向に関し互いに間隔おいて設けられた、幅方向に延びる切断可能部を有し、これらの切断可能部はさらに、帯状に延びる比較的に目を細かくされた切断縁形成部と、この切断縁形成部の中央部を延びる、目を粗くされた切断部とを有する請求項１または２記載の偽装網。
【発明の詳細な説明】
【技術分野】
【０００１】
本発明は、軍事機材あるいは軍事施設や、建築現場、ゴミ、廃棄物、柵等の被遮蔽物を、草木等に偽装して覆う偽装網に関する。
【背景技術】
【０００２】
従来の偽装網は、網に、この網とは別途に製造された、草木等に擬せられる偽装材を取り付けることにより製造されていた（例えば、特許文献１および２参照）。
【特許文献１】特開昭６１−２８５３９９号公報
【特許文献１】実開平４−５７０９６号公報
【発明の開示】
【発明が解決しようとする課題】
【０００３】
前記従来の偽装網においては、
（ａ）製造に手間が掛かり製造コストが高くなる、
（ｂ）保管、運搬時に折り畳んだり、巻き状態としたとき、非常に嵩張ってしまう、
（ｃ）偽装材が樹木、柵等の障害物に引っ掛かったり、脱落したり、損傷しやすい、
等の問題があった。
【０００４】
本発明は、このような従来の事情に鑑みてなされたもので、本発明の目的の一つは、効率的に製造でき、製造コストを低減できる偽装網を提供することにある。
【０００５】
本発明の他の目的は、コンパクトに折り畳んだり、巻き状態とすることができ、保管・運搬等に便利な偽装網を提供することにある。
【０００６】
本発明の他の目的は、草木等に擬せられる部分が、障害物に引っ掛かったり、脱落したり、損傷したりし難い偽装網を提供することにある。
【０００７】
本発明の他の目的は、偽装効果を高くすることができる偽装網を提供することにある。
【０００８】
本発明のさらに他の目的は、以下の説明から明らかになろう。
【課題を解決するための手段】
【０００９】
本発明による偽装網は、網状部と、この網状部と一体に編まれまたは織られた非網状の偽装主部とを有してなり、前記偽装主部は偽装しようとするべき物に擬せられるとともにしわ加工を施されているものである。
【００１０】
本発明の偽装網は、網状部と偽装主部とが一体に編まれまたは織られているので、効率的に製造でき、製造コストを低減できるとともに、コンパクトに折り畳んだり、巻き状態とすることができ、保管・運搬等に便利であり、かつ偽装主部が、障害物に引っ掛かったり、脱落したり、損傷したりし難い。
【００１１】
その一方、偽装主部はしわ加工が施されているので、立体的とすることができるため、より巧妙に草木等の他の物体に偽装することができる。
【発明の効果】
【００１２】
本発明の偽装網は、
（イ）効率的に製造でき、製造コストを低減できる、
（ロ）コンパクトに折り畳んだり、巻き状態とすることができ、保管・運搬等に便利である、
（ハ）偽装主部が、障害物に引っ掛かったり、脱落したり、損傷したりし難い、
（ニ）偽装効果を高くすることができる、
等の優れた効果を得られるものである。
【発明を実施するための最良の形態】
【００１３】
以下、本発明を図面に示す実施例に基づいて説明する。
【実施例】
【００１４】
図１〜４は本発明の一実施例を示している（なお、図面が過度に繁雑にならないようにするため、かつ本願発明がより容易に理解されるようにするため、各図は模式的に描いており、必ずしも実施例の形状、模様等を実際の通り忠実に図示している訳ではないことに注意されたい）。偽装網１は、ポリエステル系、ナイロン系等の合成繊維、若しくは麻、木綿等の天然繊維、またはこれらの混紡繊維により、耳部２、切断可能部３、網状部４および偽装主部５を一体に編んだ編み物とされている。このような編み物は、従来公知の方法、例えばジャガード編み等により製造することができる。
【００１５】
この偽装網１は、製造段階では全体を長尺の矩形状とされており、前記耳部２は偽装網１の四方の縁部を構成しており、これらの耳部２は比較的に編み目が細かくなるようにして非網状に編まれている。これらの耳部２には、図１および３に示されるように、ボタン穴状の結束手段挿通穴６が間隔をおいて編まれて設けられている。前記切断可能部３は、図２に示されるように、長さ方向に関し適当な間隔をおいて、幅方向に延びるようにして直線状に設けられている（なお、図２では、網状部４および偽装主部５は図示を省略されている）。図３は、前記切断可能部３の拡大図を示しており、これらの切断可能部３は帯状に延びる比較的に編み目を細かくされた非網状の切断縁形成部３ａと、比較的に大きな間隔のはしご状となるように編み目を粗くされた切断部３ｂとを有しており、前記切断部３ｂは切断縁形成部３ａの中央部を直線状に延びている。前記切断縁形成部３ａには、切断部３ｂの両側において、耳部２に設けられているものと同様の結束手段挿通穴６が適当な間隔で設けられている。
【００１６】
前記網状部４は耳部２および切断可能部３に囲まれる領域内に設けられている。前記偽装主部５は、木の葉に擬せられる形状、模様および色彩を有していて、網状部４に対し適当に分散して配置されており、かつ図４に模式的に示されるように、それぞれしわ加工を施されている。なお、前記偽装主部５の色彩は一部緑色、一部黒色とされる一方、偽装網１の他の部分は全体的に緑色とされている。
【００１７】
前記偽装主部５に施すしわ加工としては、従来公知の各種のしわ加工を利用することができる。また、しわ加工で形成するしわ７（図４参照）は、一般的には、規則的なしわよりも不規則なしわの方が自然な外観をもたらし、偽装効果を高めることができるので好ましい。しかし、本発明においては、規則的なしわを形成してもよい。また、偽装主部５は実施例のようなものに限られることはなく、木の葉のみならず、草、花等の他の種の草木またはこれらの組み合わせに擬せられる形状、模様および色彩等としてもよいし、草木以外の物に擬せられるようにしてもよい。
【００１８】
この偽装網１は、網状部４と偽装主部５とが一体に編まれているので、効率的に製造でき、製造コストを低減できるとともに、コンパクトに折り畳んだり、巻き状態とすることができ、保管・運搬等に便利であり、かつ偽装主部５が、障害物に引っ掛かったり、脱落したり、損傷したりし難い。
【００１９】
また、偽装主部５は潰された状態となれば偏平状（平らなシート状）となるが、しわ加工が施されているので、使用状態では立体的となるようにすることができるため、より巧妙に草木等の偽装すべき物に偽装することができる。
【００２０】
また、本実施例においては、偽装網１の縁部を構成する非網状の耳部２に結束手段挿通穴６が間隔をおいて編んで設けられているので、別途にハトメ穴等を設けることなく、これらの結束手段挿通穴６に結束バンド、ワイヤ、紐等の結束手段を通し、該結束手段を被遮蔽物側に取り付けることにより、偽装網１を被遮蔽物に簡単に取り付けることができる（勿論、本発明においては他の手段により偽装網１を被遮蔽物に取り付けてもよい）。
【００２１】
また、切断可能部３の切断部３ｂは目を粗くされているので、ハサミ等により容易に切断することができる。そして、この切断後は、比較的に目を細かくされた切断縁形成部３ａが新たな縁部ないしは耳部となるので、網状部４を破損することなく、偽装網１を所望の適当な長さに容易に切断して使用することができる。そして、新たな縁部となる切断縁形成部３ａにも結束手段挿通穴６が設けられているので、前記のように切断しても被遮蔽物への取り付けに支障を生じることはない。
【００２２】
なお、本発明による偽装網１は、前記軍事機材あるいは軍事施設や、建築現場、ゴミ、廃棄物、柵等以外の物を遮蔽したり、装飾する目的でも使用できるものである。
【００２３】
また、前記実施例では偽装網１を編み物としているが、偽装網１を織物としてもよい（この場合、網状部４および偽装主部５を一体に織ることになる）。
【産業上の利用可能性】
【００２４】
以上のように本発明は、各種被遮蔽物を偽装して覆う偽装網として有用である。
【図面の簡単な説明】
【００２５】
【図１】本発明の一実施例における偽装網の一部を示す平面図である。
【図２】前記実施例を図１より高い縮尺率で示す平面図である（網状部および偽装主部は図示を省略している）。
【図３】前記実施例の切断可能部付近を示す拡大平面図である。
【図４】前記実施例において偽装主部に付けられたしわを示す模式断面図である。
【符号の説明】
【００２６】
１    偽装網
３    切断可能部
３ａ  切断縁形成部
３ｂ  切断部
４    網状部
５    偽装主部
６    結束手段挿通穴
７    しわ
【図１】
2005299029.tif 000003
【図２】
2005299029.tif 000004
【図３】
2005299029.tif 000005
【図４】
2005299029.tif 000006